(57)【要約】【課題】  留守録機能を持ち、電子メールの送受信が可能な通信端末において、留守録再生が指示された際、留守録データと電子メールの添付動画を続けて再生する。【解決手段】  回線制御部と留守番電話制御部と電子メール送受信部と動画再生部を持ち、留守番電話制御部で留守録データを入手し、電子メール送受信部で電子メールを受信し、留守録再生が指示された際、電子メールのヘッダをチェックして添付動画を検出し、留守録データと添付動画を続けて再生する。【選択図】        図１
2006210999.tif 000002
【特許請求の範囲】
【請求項１】
通信回線を使用して音声データと動画データによる通話を行い、電子メールを送受信する通信端末装置であって、
前記音声データと動画データと電子メールとを送受信する回線制御部と、
前記電子メールを送受信する電子メール送受信部と、
前記電子メールを管理し、前記電子メールに添付動画が含まれるかどうかを判断する電子メール管理部と、
電話の留守録を設定し、電話で着信した場合に留守録が設定されていれば留守番電話を起動する留守番電話制御部と、
前記回線制御部から受信した前記音声データと前記動画データを前記留守番電話制御部によって留守録データとして格納し、前記電子メールを格納するメモリと、
前記メモリに格納された前記留守録データと前記電子メールの前記添付動画を再生する動画再生部を持ち、
留守録再生が指示された際に前記動画再生部から前記留守録データと前記電子メールの前記添付動画を続けて再生することを特徴とする通信端末装置。
【請求項２】
前記電子メールのＣｏｎｔｅｎｔ−ｔｙｐｅから前記電子メールに前記添付動画が含まれるかどうかを判断することを特徴とする請求項１に記載の通信端末装置。
【請求項３】
前記電子メールの添付ファイルの拡張子から前記電子メールに前記添付動画が含まれるかどうかを判断することを特徴とする請求項１に記載の通信端末装置。
【請求項４】
前記電子メールの前記添付動画が、前記動画再生部で再生できない形式である場合に、再生不能であることを前記動画再生部から表示することを特徴とする請求項１に記載の通信端末装置。
【請求項５】
前記電子メールの前記添付動画が、前記動画再生部で再生できない形式である場合に、前記電子メールの送信元に前記添付動画が再生不能である旨を記述した返信メールを自動で送信することを特徴とする請求項１に記載の通信端末装置。
【請求項６】
前記電子メールの前記添付動画が、前記動画再生部で再生できない形式である場合に、前記電子メールが返信済みであれば、前記電子メールの送信元に前記添付動画が再生不能である旨を記述した返信メールを自動で送信しないことを特徴とする請求項５に記載の通信端末装置。
【請求項７】
前記留守録データが音声データであった場合、前記動画再生部の表示に留守録再生中の旨を表示させることを特徴とする請求項１に記載の通信端末装置。
【請求項８】
前記留守録データのうち再生された前記留守録データと前記電子メールの前記添付動画のうち再生された添付動画は再生しないことを特徴とする請求項１から７のいずれかに記載の通信端末装置。
【発明の詳細な説明】
【技術分野】
【０００１】
本発明は、留守番電話機能と電子メール機能と動画再生機能とを備えた電話機に係る通信端末装置に関する。
【背景技術】
【０００２】
近年、家庭用の固定電話の高機能化により、音声通話やファクシミリ送受信の他に電子メールの送受信ができる端末の出現など固定電話で扱うことのできるデータの種類が増えてきている。電子メールはファイルを添付して送受信することも可能で、受信者は電子メールを使用して音声ファイル、動画ファイルなどを受信することができる。
【０００３】
また、不在時に外部から着信した際、設定された時間経過しても応答されない場合に自動応答し、発呼者からのメッセージを端末内に録音または録画する留守番電話機能がある。利用者は留守番電話再生を指示することで、録音または録画された留守番電話メッセージを再生することができる。
【０００４】
特許文献１は、電話機能と電子メール機能と留守番電話機能とを持ち、録音された留守番電話メッセージを電子メールで転送することができる。
【特許文献１】特開２００１−２７４８９５号公報
【発明の開示】
【発明が解決しようとする課題】
【０００５】
しかしながら、従来の技術では留守番電話機能で得た留守番電話メッセージと電子メール機能で得た電子メールは別々のデータとして扱われてきた。もしくは、留守番電話メッセージを電子メールに変換するシステムはあったが、その２種類のデータを同じデータとして一度の操作で同様に扱うことはされておらず、利用者は帰宅時に留守録メッセージの確認と、電子メールの確認の２種類の異なる操作を行う必要があった。
【０００６】
本発明では斯かる問題点を鑑みてなされたものであり、留守番電話メッセージと電子メールに添付された動画ファイルという２種類のデータを１種類の動画データとして扱い、一度の操作で両方のデータを再生させる通信端末装置を提供する点にある。
【課題を解決するための手段】
【０００７】
上記目的を達成するため、本発明に関わる通信端末装置は、
通信回線を使用して音声データと動画データによる通話を行い、電子メールを送受信する通信端末装置であって、
前記音声データと動画データと電子メールとを送受信する回線制御部と、
前記電子メールを送受信する電子メール送受信部と、
前記電子メールを管理し、前記電子メールに添付動画が含まれるかどうかを判断する電子メール管理部と、
電話の留守録を設定し、電話で着信した場合に留守録が設定されていれば留守番電話を起動する留守番電話制御部と、
前記回線制御部から受信した前記音声データと前記動画データを前記留守番電話制御部によって留守録データとして格納し、前記電子メールを格納するメモリと、
前記メモリに格納された前記留守録データと前記電子メールの前記添付動画を再生する動画再生部を持ち、
留守録再生が指示された際に前記動画再生部から前記留守録データと前記電子メールの前記添付動画を続けて再生することを特徴とする。
【発明の効果】
【０００８】
本実施の形態によれば、留守番電話メッセージと電子メールの添付動画という２種類のデータを、動画データという１種類のデータとして扱い、一度の操作で両方の動画を再生させることで、利用者はデータの違いを意識することなく、簡単な操作で再生を行うことができるという効果がある。
【０００９】
本実施の形態によれば、受信した電子メールの添付動画が再生できない場合に、ユーザ操作がなくても、再生不能である旨を自動で送信元に連絡することができるという効果がある。
【００１０】
本実施の形態によれば、受信した電子メールの添付動画が再生できない場合に、その電子メールが返信済みであれば、再生不能である旨を送信元に連絡しないことで、重複した送信を行わないという効果がある。
【００１１】
本実施の形態によれば、留守録データが音声データであった場合も、音声と共に表示を行うことで、留守録データが音声データであっても動画データであっても同様の扱いをすることができるという効果がある。
【００１２】
本実施の形態によれば、再生された動画データは再度再生させないことで、冗長な再生を防ぐことができるという効果がある。
【発明を実施するための最良の形態】
【００１３】
以下本発明を実施するための最良の形態を、実施例により詳しく説明する。
【実施例】
【００１４】
図１は、本発明の実施形態に係わる通信端末装置（以下、通信端末とする）の構成図である。
【００１５】
図１において、１０１は通信端末が接続されているＰＳＴＮ、ＩＳＤＮ、ＩＰ電話網などの通信回線、１０２は通信回線１０１に接続され電子メールを蓄積する電子メールサーバ、１０３は通信回線１０１に接続されたテレビ電話などの電話機、１１０は本発明における通信端末である。
【００１６】
通信端末１１０は、ＣＰＵ１１１、通信回線１０１とのインタフェイスである回線制御部１１２、電子メールの送受信を制御する電子メール送受信部１１３、受信した電子メールを受信メールファイル１１５に格納して管理し、電子メールに添付動画があるかどうかを判断する電子メール管理部１１４、通信回線１０１からの着信に対して一定時間応答が無い場合に留守番電話を起動するよう制御し、録画内容を留守録データ１１７に格納する留守番電話制御部１１６、ユーザの操作を受け付ける操作部１１８、受信メールファイル１１５に格納された電子メールの添付動画や留守録データ１１７に格納された留守録画を再生する動画再生部１１９、受信メールファイル１１５と留守録データ１１７を格納するメモリ１２０からなる。
【００１７】
通信端末１１０は電子メールサーバ１０２に届いた電子メールを、回線制御部１１２を通して電子メール送受信部１１３で受信し、受信メールファイル１１５に格納する。
【００１８】
通信端末１１０は通信回線１０１からの着信を回線制御部１１２で検出し、一定時間応答が無い場合に留守番電話制御部１１６で留守番電話を起動し、通話相手である電話機１０３からのメッセージを留守録データ１１７に格納する。電話機１０３とテレビ電話で接続した場合はメッセージを留守録画として格納し、音声電話で接続した場合はメッセージを留守音声として格納する。
【００１９】
図２は、受信メールファイル１１５の詳細である。受信メールファイル１１５は、受信メールを管理する受信メール管理部２００と、受信メールの実体を記憶する受信メール本体部２１０よりなる。受信メール管理部２００には、受信メールの差出人２０１、件名２０２、受信日時２０３、読まれたかどうかの状態２０４、転送されたかどうかの状態２０５などが、各受信メール毎に記録されており、ここから受信メール本体部２１０のメールデータ２１１、２１２、２１３に関連付けられている。受信メールが添付ファイルを持つ場合、添付ファイル２１４、２１５は受信メール２１２、２１３と関連付けられ、受信メール本体部２１０に記録されている。受信メール管理部２００の情報から、装置内の未読メール件数、未転送メール件数を計算することが可能になっている。
【００２０】
図３は、留守録データ１１７の詳細である。留守録データ１１７は、留守番電話データを管理する留守録管理部３００、留守録の実態を記録する留守録本体部３１０、留守録件数部３２０よりなる。
【００２１】
留守録管理部３００には、録音日時３０１、再生されたかどうかの状態３０２、転送されたかどうかの状態（不図示）などが、各留守録毎に記録されており、ここから留守録本体部３１０の留守録３１１、３１２、３１３に関連付けられている。留守録には音声データとして記録されている留守音声３１１と、動画データとして記録されている留守録画３１２、３１３の２種類が存在する。留守録件数部３２０は、留守録が１件記録されると留守録件数を１件増加し、１件削除されると１件減少される。また全件削除されると０件に書き換えられる。
【００２２】
図４は、留守再生を行う際のフローチャートである。
【００２３】
スタンバイ状態の通信端末において、操作部１１８から留守再生が指示された場合（Ｓ０１）、留守録データ１１７に留守音声か留守録画のどちらかもしくは両方の留守録が存在すれば（Ｓ０２）、全ての留守録を再生する（Ｓ０３）。留守音声を再生する場合は音声を再生させている間は、表示は留守録再生中の旨か、あらかじめ通信端末に記憶されている動画を表示させる。留守録画を再生する場合は音声と表示の両方を再生する。
【００２４】
留守録再生が終わると受信メールファイル１１５に格納されている電子メールを検索する（Ｓ０４）。新着受信メールがある場合は（Ｓ０５）、受信メールのヘッダなどに記述されている情報を検索して受信メールのタイプをチェックし、添付動画があるかどうかを確認する（Ｓ０６）。ＭＩＭＥフォーマットの場合は、Ｃｏｎｔｅｎｔ−ｔｙｐｅをチェックし、そのタイプがｖｉｄｅｏであれば添付動画があると判断する。また、Ｃｏｎｔｅｎｔ−ｔｙｐｅがＭｕｌｔｉｐａｒｔ／ｍｉｘｅｄなどである場合は、添付された全ファイルの拡張子をチェックし、拡張子が．ｍｐｇや．ａｖｉなど動画ファイルが使用するものである場合に添付動画があると判断する。添付動画が無い場合は（Ｓ０７）、次のメールの検索に移る。添付動画がある場合は（Ｓ０７）、添付動画をチェックする（Ｓ０８）。
【００２５】
添付動画が通信端末の持つ動画コーデックで再生できる形式である場合は（Ｓ０９）、添付動画を再生し（Ｓ１０）、再生できない形式である場合は（Ｓ０９）、再生不能であることを通知する（Ｓ１１）。再生不能であることの通知は、通信端末の表示部に再生不能である添付動画があることを表示することや、受信メールの送信元に添付動画が再生できない旨を記述した返信メールを自動で送信することにより行う。返信メールを送信した際には、受信メール管理部２００のステータスを返信済みに変更する。受信メール管理部２００のステータスが返信済みの場合は、返信メールの送信は行わない。添付動画の再生が終了するか、再生不能であることを通知した後は、次のメールの検索に移る。全てのメールを検索した後は（Ｓ０５）、留守再生を終了しスタンバイに戻る。
【図面の簡単な説明】
【００２６】
【図１】本発明の実施形態に係わる通信端末の構成図
【図２】受信メールファイルの詳細図
【図３】留守録データの詳細図
【図４】本発明の実施形態に係わるフローチャート
【符号の説明】
【００２７】
１０１  通信回線
１０２  電子メールサーバ
１０３  電話機
１１０  通信端末
１１１  ＣＰＵ
１１２  回線制御部
１１３  電子メール送受信部
１１４  電子メール管理部
１１５  受信メールファイル
１１６  留守番電話制御部
１１７  留守録データ
１１８  操作部
１１９  動画再生部
１２０  メモリ
２００  受信メール管理部
２０１  受信メールの差出人
２０２  受信メールの件名
２０３  受信メールの受信日時
２０４  読まれたかどうかの状態
２０５  転送されたかどうかの状態
２１０  受信メール本体部
２１１、２１２、２１３  メールデータ
２１４、２１５  添付ファイル
３００  留守録管理部
３０１  録音日時
３０２  再生されたかどうかの状態
３１０  留守録本体部
３１１、３１２、３１３  留守録
３２０  留守録件数部
【図１】
2006210999.tif 000003
【図２】
2006210999.tif 000004
【図３】
2006210999.tif 000005
【図４】
2006210999.tif 000006